(57)【要約】【課題】画面の切り替えをより少なくして、より簡単に操作できるようにする。【解決手段】操作入力制御部１３１は、LCD（Liquid Crystal Display）の上部に積層されたタッチパネルからの、ユーザの操作を示す入力信号を基に、LCDに表示されている画像であって、動画像のチャプタに対応するサムネイル画像に対するユーザの操作を、その操作の時間的または空間的な特徴によって、第１の操作または第２の操作のいずれか一方に分類し、出力制御部１３２は、ユーザの操作が第１の操作に分類された場合、サムネイル画像にチェックマークを付加し、ユーザの操作が第２の操作に分類された場合、サムネイル画像に対応するチャプタの動画像が再生されるように制御する。本発明は、デジタルビデオカメラに適用することができる。【選択図】図３
2006172116.tif 000002
【特許請求の範囲】
【請求項１】
ユーザの操作を入力するための入力手段が設けられている情報処理装置において、
前記入力手段からの、前記ユーザの操作を示す入力信号を基に、コンテンツを示す画像であって、表示されている画像に対する前記ユーザの操作を、その操作の時間的または空間的な特徴によって、第１の操作または第２の操作のいずれか一方に分類する分類手段と、
前記ユーザの操作が前記第１の操作に分類された場合、前記画像で示される前記コンテンツについて第１の処理を実行し、前記ユーザの操作が前記第２の操作に分類された場合、前記画像で示される前記コンテンツについて第２の処理を実行する処理実行手段と
を備えることを特徴とする情報処理装置。
【請求項２】
前記コンテンツを編集する編集手段をさらに備え、
前記処理実行手段は、前記ユーザの操作が前記第１の操作に分類された場合、編集の対象として前記コンテンツを選択する前記第１の処理を実行し、前記ユーザの操作が第２の操作に分類された場合、前記コンテンツを再生する前記第２の処理を実行する
ことを特徴とする請求項１に記載の情報処理装置。
【請求項３】
前記入力手段は、タッチパネルである
ことを特徴とする請求項１に記載の情報処理装置。
【請求項４】
前記コンテンツは、画像である
ことを特徴とする請求項１に記載の情報処理装置。
【請求項５】
ユーザの操作を入力するための入力手段が設けられている情報処理装置の情報処理方法において、
前記入力手段からの、前記ユーザの操作を示す入力信号を基に、コンテンツを示す画像であって、表示されている画像に対する前記ユーザの操作を、その操作の時間的または空間的な特徴によって、第１の操作または第２の操作のいずれか一方に分類する分類ステップと、
前記ユーザの操作が前記第１の操作に分類された場合、前記画像で示される前記コンテンツについて第１の処理を実行する第１の処理実行ステップと、
前記ユーザの操作が前記第２の操作に分類された場合、前記画像で示される前記コンテンツについて第２の処理を実行する第２の処理実行ステップと
を含むことを特徴とする情報処理方法。
【請求項６】
ユーザの操作を入力するための入力手段が設けられている情報処理装置の情報処理用のプログラムにおいて、
前記入力手段からの、前記ユーザの操作を示す入力信号を基に、コンテンツを示す画像であって、表示されている画像に対する前記ユーザの操作を、その操作の時間的または空間的な特徴によって、第１の操作または第２の操作のいずれか一方に分類する分類ステップと、
前記ユーザの操作が前記第１の操作に分類された場合、前記画像で示される前記コンテンツについて第１の処理を実行する第１の処理実行ステップと、
前記ユーザの操作が前記第２の操作に分類された場合、前記画像で示される前記コンテンツについて第２の処理を実行する第２の処理実行ステップと
を含むことを特徴とするコンピュータが読み取り可能なプログラムが記録されている記録媒体。
【請求項７】
ユーザの操作を入力するための入力手段が設けられている情報処理装置のコンピュータに、情報処理を行わせるプログラムにおいて、
前記入力手段からの、前記ユーザの操作を示す入力信号を基に、コンテンツを示す画像であって、表示されている画像に対する前記ユーザの操作を、その操作の時間的または空間的な特徴によって、第１の操作または第２の操作のいずれか一方に分類する分類ステップと、
前記ユーザの操作が前記第１の操作に分類された場合、前記画像で示される前記コンテンツについて第１の処理を実行する第１の処理実行ステップと、
前記ユーザの操作が前記第２の操作に分類された場合、前記画像で示される前記コンテンツについて第２の処理を実行する第２の処理実行ステップと
を含むことを特徴とするプログラム。
【発明の詳細な説明】
【技術分野】
【０００１】
本発明は、情報処理装置および方法、記録媒体、並びにプログラムに関し、特に、装置をより小型化することができるようにした情報処理装置および方法、記録媒体、並びにプログラムに関する。
【背景技術】
【０００２】
近年、容易に携帯可能な、デジタルビデオカメラなどの小型の撮影装置が普及している。現在、これらの撮影装置は、ファインダとは別に、撮影した画像を表示させるための表示装置を設けてあるものが多い。この表示装置は、LCD（Liquid Crystal Display）などにより構成される。この表示装置が設けられた撮影装置は、AV（Audio Visual）機器のように利用することも可能である。例えば、ユーザは、被写体を撮影した直後に、表示装置に撮影した被写体の画像を表示させ、その画像を見る（確認する）ことができる。
【０００３】
デジタルビデオカメラの普及に伴って、デジタルビデオカメラのような撮影装置に関する種々の技術が提案されている。なお、デジタルビデオカメラは、デジタルカムコーダとも称されている。
【０００４】
例えば、特許文献１には、カムコーダに複数のアルバム名を記録しているリストを設け、所定のサーバ（カムコーダ用イメージステーション）にアルバム名が付加されているフォルダを配置し、ユーザが、カムコーダにおいてアルバム名を指定し、撮影した画像のイメージデータを、ネットワークを介して、サーバにアップロードさせ、そのイメージデータを、指定されたアルバム名のフォルダに記録、保持させる技術が開示されている。
【０００５】
デジタルビデオカメラで撮影した画像を編集する場合、まず、その画像のイメージデータは、パーソナルコンピュータなどに転送される。その後、そのパーソナルコンピュータを用いて、画像が編集されていた。
【０００６】
デジタルビデオカメラの中には、撮影した画像をデジタルビデオカメラ自身で編集することができる高い機能を有するものもある。
【０００７】
画像の編集機能を有するデジタルビデオカメラにおいては、例えば、撮影した動画像のチャプタの一覧を表示するために、個々のチャプタを代表する画像のサムネイル画像が表示される。
【０００８】
デジタルビデオカメラは、撮影だけでなく、画像の編集作業も行えるような高い機能が設けられるようになってきた。また、その一方で、ユーザからの、デジタルビデオカメラなどの撮影装置を、より容易に、気軽に携帯したいという要望に応えて、デジタルビデオカメラは小型化の一途をたどっている。
【特許文献１】特開２００３−１５２９４８号公報
【発明の開示】
【発明が解決しようとする課題】
【０００９】
デジタルビデオカメラをより小型化するには、デジタルビデオカメラ本体に付随する、画像の再生ボタンなどのハードウェアのボタンをより少なくする必要がある。したがって、ハードウェアのスイッチであるボタンを、表示装置の画面にタッチして操作するタッチパネルに変えたマンマシンインターフェースを採用することも多くなった。
【００１０】
しかしながら、表示装置に表示される、GUI（Graphical User Interface）の画面のボタンの数が多いと、GUIの画面のボタンそのものが小さく表示され、操作し難くなってしまうという課題があった。
【００１１】
また、表示装置に表示されるGUIの画面のボタンの数が多いと、同時にチャプタを表すサムネイル画像を表示しようとすると、サムネイル画像も小さく表示されるようになってしまう。これにより、サムネイル画像が見づらくなってしまうという課題があった。
【００１２】
このように、単に、デジタルビデオカメラの表示装置に表示されるGUIの画面のボタンを増やし、そのGUIの画面のボタンを用いて、多数の機能を操作させようとすると、１つの画面では操作しにくくなってしまうので、複数の画面で操作するようにしていた。しかしながら、この場合、ユーザは、複数の画面の間を移動しなければならず、これがまた操作しにくい原因になってしまった。
【００１３】
例えば、デジタルビデオカメラにおいて、撮影した画像を編集する場合、表示装置に複数のサムネイル画像が配置された画像の編集作業の専用の画面が表示される。このとき、画像の編集作業として、不要な画像を削除する場合、まず、削除しようとするチャプタに対応するサムネイル画像を選択して、最後に削除コマンドが実行される。
【００１４】
具体的には、表示装置に積層されているタッチパネルの削除しようとするチャプタに対応するサムネイル画像の位置をタップすることにより、表示上のそのサムネイル画像が選択され、削除ボタンをタップすることで、選択されたサムネイル画像に対応するチャプタの動画像が削除されていた。
【００１５】
このとき、動画像を削除する前に、削除しようとするチャプタの動画像の内容を確認するために、そのチャプタの動画像を再生させる場合、画像の編集作業の専用の画面から、画像の再生専用の画面に移動する必要があった。
【００１６】
その後、画像の再生専用の画面において、ユーザは、削除しようとするチャプタに対応するサムネイル画像を選択し、そのチャプタの動画像を再生し、チャプタの内容を確認していた。
【００１７】
以上のように、従来においては、画像の再生や画像の編集の機能に対してそれぞれ設けられた別々の画面で、それぞれの所望する操作を行わなければならいように、ユーザは、複数の画面の間を移動しなければならず、面倒であるという課題があった。
【００１８】
本発明は、このような状況に鑑みてなされたものであり、画面の切り替えをより少なくして、より簡単に操作できるようにするものである。
【課題を解決するための手段】
【００１９】
本発明の情報処理装置は、入力手段からの、ユーザの操作を示す入力信号を基に、コンテンツを示す画像であって、表示されている画像に対するユーザの操作を、その操作の時間的または空間的な特徴によって、第１の操作または第２の操作のいずれか一方に分類する分類手段と、ユーザの操作が第１の操作に分類された場合、画像で示されるコンテンツについて第１の処理を実行し、ユーザの操作が第２の操作に分類された場合、画像で示されるコンテンツについて第２の処理を実行する処理実行手段とを含むことを特徴とする。
【００２０】
情報処理装置は、コンテンツを編集する編集手段をさらに設け、処理実行手段が、ユーザの操作が第１の操作に分類された場合、編集の対象としてコンテンツを選択する第１の処理を実行し、ユーザの操作が第２の操作に分類された場合、コンテンツを再生する第２の処理を実行するようにすることができる。
【００２１】
入力手段は、タッチパネルであるようにすることができる。
【００２２】
コンテンツは、画像であるようにすることができる。
【００２３】
本発明の情報処理方法は、入力手段からの、ユーザの操作を示す入力信号を基に、コンテンツを示す画像であって、表示されている画像に対するユーザの操作を、その操作の時間的または空間的な特徴によって、第１の操作または第２の操作のいずれか一方に分類する分類ステップと、ユーザの操作が第１の操作に分類された場合、画像で示されるコンテンツについて第１の処理を実行する第１の処理実行ステップと、ユーザの操作が第２の操作に分類された場合、画像で示されるコンテンツについて第２の処理を実行する第２の処理実行ステップとを含むことを特徴とする。
【００２４】
本発明の記録媒体のプログラムは、入力手段からの、ユーザの操作を示す入力信号を基に、コンテンツを示す画像であって、表示されている画像に対するユーザの操作を、その操作の時間的または空間的な特徴によって、第１の操作または第２の操作のいずれか一方に分類する分類ステップと、ユーザの操作が第１の操作に分類された場合、画像で示されるコンテンツについて第１の処理を実行する第１の処理実行ステップと、ユーザの操作が第２の操作に分類された場合、画像で示されるコンテンツについて第２の処理を実行する第２の処理実行ステップとを含むことを特徴とする。
【００２５】
本発明のプログラムは、入力手段からの、ユーザの操作を示す入力信号を基に、コンテンツを示す画像であって、表示されている画像に対するユーザの操作を、その操作の時間的または空間的な特徴によって、第１の操作または第２の操作のいずれか一方に分類する分類ステップと、ユーザの操作が第１の操作に分類された場合、画像で示されるコンテンツについて第１の処理を実行する第１の処理実行ステップと、ユーザの操作が第２の操作に分類された場合、画像で示されるコンテンツについて第２の処理を実行する第２の処理実行ステップとをコンピュータに実行させることを特徴とする。
【００２６】
本発明の情報処理装置、情報処理方法、記録媒体のプログラム、およびプログラムにおいては、入力手段からの、ユーザの操作を示す入力信号を基に、コンテンツを示す画像であって、表示されている画像に対するユーザの操作が、その操作の時間的または空間的な特徴によって、第１の操作または第２の操作のいずれか一方に分類され、ユーザの操作が第１の操作に分類された場合、画像で示されるコンテンツについて第１の処理が実行され、ユーザの操作が第２の操作に分類された場合、画像で示されるコンテンツについて第２の処理が実行される。
【発明の効果】
【００２７】
本発明によれば、画像を編集することができる。また、本発明によれば、画面の切り替えをより少なくして、より簡単に操作できるようにすることができる。
【発明を実施するための最良の形態】
【００２８】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００３０】
請求項１に記載の情報処理装置は、ユーザの操作を入力するための入力手段（例えば、図２のタッチパネル２２）が設けられている情報処理装置（例えば、図１のデジタルビデオカメラ１）であって、入力手段からの、ユーザの操作を示す入力信号を基に、コンテンツを示す画像であって、表示されている画像に対するユーザの操作を、その操作の時間的または空間的な特徴によって、第１の操作または第２の操作のいずれか一方に分類する分類手段（例えば、図３の操作入力制御部１３１）と、ユーザの操作が第１の操作に分類された場合、画像で示されるコンテンツについて第１の処理（例えば、図８のステップＳ４７の処理）を実行し、ユーザの操作が第２の操作に分類された場合、画像で示されるコンテンツについて第２の処理（例えば、図８のステップＳ４９の処理）を実行する処理実行手段（例えば、図３の出力制御部１３２）とを含むことを特徴とする。
【００３１】
請求項２に記載の情報処理装置は、コンテンツを編集する編集手段（例えば、図３の編集部１３３）をさらに備え、処理実行手段は、ユーザの操作が第１の操作に分類された場合、編集の対象としてコンテンツを選択する第１の処理を実行し、ユーザの操作が第２の操作に分類された場合、コンテンツを再生する第２の処理を実行するようにすることができる。
【００３２】
請求項５に記載の情報処理方法は、ユーザの操作を入力するための入力手段（例えば、図２のタッチパネル２２）が設けられている情報処理装置（例えば、図１のデジタルビデオカメラ１）の情報処理方法において、入力手段からの、ユーザの操作を示す入力信号を基に、コンテンツを示す画像であって、表示されている画像に対するユーザの操作を、その操作の時間的または空間的な特徴によって、第１の操作または第２の操作のいずれか一方に分類する分類ステップ（例えば、図８のステップＳ４５の処理）と、ユーザの操作が第１の操作に分類された場合、画像で示されるコンテンツについて第１の処理を実行する第１の処理実行ステップ（例えば、図８のステップＳ４７の処理）と、ユーザの操作が第２の操作に分類された場合、画像で示されるコンテンツについて第２の処理を実行する第２の処理実行ステップ（例えば、図８のステップＳ４９の処理）とを含むことを特徴とする。
【００３３】
請求項６に記載の記録媒体（例えば、図２のリムーバブルメディア８９）のプログラムは、ユーザの操作を入力するための入力手段（例えば、図２のタッチパネル２２）が設けられている情報処理装置（例えば、図１のデジタルビデオカメラ１）の情報処理用のプログラムにおいて、入力手段からの、ユーザの操作を示す入力信号を基に、コンテンツを示す画像であって、表示されている画像に対するユーザの操作を、その操作の時間的または空間的な特徴によって、第１の操作または第２の操作のいずれか一方に分類する分類ステップ（例えば、図８のステップＳ４５の処理）と、ユーザの操作が第１の操作に分類された場合、画像で示されるコンテンツについて第１の処理を実行する第１の処理実行ステップ（例えば、図８のステップＳ４７の処理）と、ユーザの操作が第２の操作に分類された場合、画像で示されるコンテンツについて第２の処理を実行する第２の処理実行ステップ（例えば、図８のステップＳ４９の処理）とを含むことを特徴とする。
【００３４】
請求項７に記載のプログラムは、ユーザの操作を入力するための入力手段（例えば、図２のタッチパネル２２）が設けられている情報処理装置（例えば、図１のデジタルビデオカメラ１）のコンピュータに、情報処理を行わせるプログラムにおいて、入力手段からの、ユーザの操作を示す入力信号を基に、コンテンツを示す画像であって、表示されている画像に対するユーザの操作を、その操作の時間的または空間的な特徴によって、第１の操作または第２の操作のいずれか一方に分類する分類ステップ（例えば、図８のステップＳ４５の処理）と、ユーザの操作が第１の操作に分類された場合、画像で示されるコンテンツについて第１の処理を実行する第１の処理実行ステップ（例えば、図８のステップＳ４７の処理）と、ユーザの操作が第２の操作に分類された場合、画像で示されるコンテンツについて第２の処理を実行する第２の処理実行ステップ（例えば、図８のステップＳ４９の処理）とを実行させる。
【００３５】
以下に、本発明の実施の形態について図面を参照して説明する。
【００３６】
図１は、本発明に係る情報処理装置の一実施の形態であるデジタルビデオカメラ１の外観の構成の例を示す斜視図である。
【００３７】
デジタルビデオカメラ１には、図示せぬ被写体からの光が入力され、レンズや絞り機構等により構成されるレンズ部１１、撮影している被写体の画像をユーザに確認させるためのファインダ１２、画像を表示する表示部１３、被写体の周りの音声を取り込むマイクロフォン１４、および表示部１３に表示された画像に対する種々の操作を行うための十字キー１５などが設けられている。
【００３８】
表示部１３は、図示せぬヒンジ部を介し、デジタルビデオカメラ１に対して開閉自在および回動自在に設けられている。表示部１３は、撮影中の画像や撮影した画像を表示するLCD２１および透明なタッチパネル２２により構成されている。タッチパネル２２は、例えば、抵抗膜方式や超音波方式などが適用されているポインティングデバイスの一種である。また、タッチパネル２２は、LCD２１の上部に積層されている。
【００３９】
ユーザは、表示部１３に表示されている画像を見ることで、現在撮影中の画像、または既に撮影が終了した画像を見る（確認する）ことができる。
【００４０】
このデジタルビデオカメラ１は、動画像のみならず、静止画像も撮影することができる。
【００４１】
図２は、デジタルビデオカメラ１の構成の例を示すブロック図である。
【００４２】
このデジタルビデオカメラ１は、カメラ一体型ビデオテープレコーダである。図２において、CPU（Central Processing Unit）７１は、ROM（Read Only Memory）７２に記憶されているプログラム、またはRAM（Random Access Memory）７３にロードされたプログラムに従って各種の処理を実行する。RAM７３にはまた、CPU７１が各種の処理を実行する上において必要なデータなども適宜記憶される。EEPROM（Electrically Erasable Programmable Read Only Memory）７４には、電源のオフの後も記憶する必要があるデータが記憶される。
【００４３】
CPU７１，ROM７２，RAM７３、およびEEPROM７４は、バス７５を介して相互に接続されている。このバス７５にはまた、入出力インターフェース７６も接続されている。
【００４４】
入出力インターフェース７６にはまた、十字キー１５、各種のボタン、スイッチなどよりなる入力部７７、受光部７８、表示制御部８０、スピーカ８１、レンズ部１１を含む図示せぬCCD（Charge Coupled Device）撮像素子などにより構成される撮像部８２、マイクロフォン１４、ブルートゥース（Bluetooth（登録商標））によりブルートゥースアダプタとの間で近距離無線通信を行う通信部８３、記録再生部８４、メモリーカードインターフェース８５、およびエンコーダ/デコーダ８７が接続されている。
【００４５】
受光部７８は、リモートコントローラ（以下、リモコンと称する）７９から送信されるユーザの操作に対応する赤外線信号を受信し、電気信号に変換してCPU７１に出力する。
【００４６】
表示制御部８０には、LCD２１およびタッチパネル２２が接続されている。タッチパネル２２は、指や専用のペンで触れられることで、触れられた位置を検知して、LCD２１上の位置を特定する入力信号を、表示制御部８０を介して、CPU７１に供給する。
【００４７】
また、表示制御部８０は、撮影中の画像や、撮影が終了し、ユーザが編集を開始する場合、図示せぬ磁気テープやメモリーカード８６から転送されてくる画像を、内蔵する図示せぬメモリに記憶する。
【００４８】
記録再生部８４は、装着されたDV（Digital Video）カセットテープなどのカセット磁気テープに、撮像部８２で撮像された映像データと、マイクロフォン１４により収音された音声データ等を記録する。また、記録再生部８４は、カセット磁気テープに記録されている映像データと音声データを再生し、映像データに対応する画像をLCD２１に出力し、表示させ、音声データをスピーカ８１に供給し、対応する音声を出力させる。
【００４９】
なお、記録再生部８４は、カセット磁気デープに限らず、ハードディスクなどの磁気ディスク、DVD（Digital Versatile Disc）などの光ディスク、光磁気ディスク、または半導体メモリに映像データおよび音声データを記録するか、これらに記録されている映像データおよび音声データを再生するようにしてもよい。
【００５０】
メモリーカードインターフェース８５は、携帯可能な半導体メモリとしてのメモリーカード８６が装着されたとき、メモリーカード８６に対するデータの書き込み処理と読み出し処理を実行する。メモリーカード８６には、撮像部８２で撮像された映像データ並びにマイクロフォン１４より収音された音声データが記録できる他、通信部８３を介して取得した各種のデータなども記憶することができる。
【００５１】
エンコーダ／デコーダ８７は、映像データをMPEG（Moving Picture Experts Group）またはJPEG（Joint Photographic Coding Experts Group）の方式で、エンコードまたはデコードする。
【００５２】
入出力インターフェース７６にはまた、必要に応じてドライブ８８が接続され、磁気ディスク、光ディスク、光磁気ディスク、或いは半導体メモリなどであるリムーバブルメディア８９が適宜装着され、それらから読み出されたコンピュータプログラムが、必要に応じてRAM７３にインストールされる。
【００５３】
図３は、CPU７１が実行する画像編集プログラム１２１の機能の構成の例を示すブロック図である。
【００５４】
画像編集プログラム１２１は、操作入力制御部１３１、出力制御部１３２、および編集部１３３を含むように構成される。
【００５５】
画像編集プログラム１２１は、ユーザからの指示を基に、撮影された画像を編集する。
【００５６】
操作入力制御部１３１は、ユーザによる十字キー１５、タッチパネル２２、およびリモコン７９への操作に応じた、十字キー１５、タッチパネル２２、およびリモコン７９からの入力信号の入力を制御する。
【００５７】
また、操作入力制御部１３１は、十字キー１５、タッチパネル２２、およびリモコン７９などからの入力信号に対応する、ユーザからの指示を示す信号を出力制御部１３２および編集部１３３に供給する。
【００５８】
出力制御部１３２は、操作入力制御部１３１から供給された信号に応じて、記録再生部８４を制御する。出力制御部１３２は、操作入力制御部１３１から供給された信号に応じて、映像データのLCD２１への出力を制御し、LCD２１に映像データに対応する画像が表示されるように制御する。また、出力制御部１３２は、操作入力制御部１３１から供給された信号に応じて、音声データのスピーカ８１への出力を制御し、スピーカ８１から音声が出力されるように制御する。
【００５９】
編集部１３３は、操作入力制御部１３１から供給された信号に応じて、画像（映像データおよび音声データ）の編集を行う。例えば、編集部１３３は、操作入力制御部１３１から供給された信号に応じて、撮影された画像において、不要な画像の削除、新たに編成された画像の追加などの編集作業を行う。
【００６０】
図４のフローチャートを参照して、画像編集プログラム１２１を実行するCPU７１による、画像の編集の処理を説明する。この処理は、例えば、ユーザにより入力部７７が操作され、撮影した画像の編集の指示が入力された場合に開始される。
【００６１】
ステップＳ１において、出力制御部１３２は、LCD２１にインデックス画面が表示されるように制御する。ここで、インデックス画面とは、例えば、デジタルビデオカメラ１の図示せぬ磁気テープなどに記録されている動画像における、個々のチャプタの一覧を表示する画像（画面）である。
【００６２】
図５は、インデックス画面１５１の例を示す図である。インデックス画面１５１の上方には、例えば、ユーザに、撮影した動画像におけるチャプタの一覧であることを認識させるための“閲覧”の文字が表示される。
【００６３】
また、インデックス画面１５１には、“画像の編集”と表示された編集ボタン１６１およびサムネイル画像１６２−１乃至１６２−６が配置されている。
【００６４】
編集ボタン１６１は、選択（押圧）されることで、LCD２１に表示される画面を、インデックス画面１５１から、ユーザに画像の編集項目を選択させる画面に切り替えさせるためのボタンである。
【００６５】
サムネイル画像１６２−１乃至１６２−６のそれぞれは、撮影され時系列的に連続した１つの動画像におけるチャプタを表している。すなわち、サムネイル画像１６２−１乃至１６２−６のそれぞれは、動画像における各チャプタを代表する画像が縮小された画像である。
【００６６】
以下、サムネイル画像１６２−１乃至１６２−６のそれぞれを、個々に区別する必要のないとき、単に、サムネイル画像１６２と称する。
【００６７】
ステップＳ２において、操作入力制御部１３１は、タッチパネル２２が押圧されたか否かを判定する。ステップＳ２において、タッチパネル２２が押圧されていないと判定された場合、手続きは、ステップＳ２に戻り、上述した処理が、タッチパネル２２が押圧されるまで繰り返される。
【００６８】
ステップＳ２において、タッチパネル２２が押圧されたと判定された場合、ステップＳ３に進み、操作入力制御部１３１は、押圧された位置に、編集ボタン１６１が表示されているか否かを判定する。
【００６９】
ステップＳ３において、押圧された位置に、編集ボタン１６１が表示されていると判定された場合、ステップＳ４に進み、出力制御部１３２は、LCD２１に編集機能の選択画面が表示されるように制御する。
【００７０】
図６は、編集機能の選択画面１７１の例を示す図である。編集機能の選択画面１７１の上方には、例えば、ユーザに画像の編集項目を選択させるための画面であることを認識させるために、“画像の編集項目”の文字が表示される。また、編集機能の選択画面１７１には、“画像の削除”と表示されている削除ボタン１８１、“画像の追加”と表示されている追加ボタン１８２、“画像の分割”と表示されている分割ボタン１８３が配置されている。
【００７１】
また、編集機能の選択画面１７１には、中止ボタン１８４が配置されている。
【００７２】
削除ボタン１８１は、選択（押圧）されることで、LCD２１に表示される画面を、編集機能の選択画面１７１から、図５のサムネイル画像１６２−１乃至１６２−６に対応するチャプタのうちの、ユーザが削除を所望するチャプタを削除する画面に切り替えさせるためのボタンである。
【００７３】
追加ボタン１８２は、選択（押圧）されることで、LCD２１に表示される画面を、編集機能の選択画面１７１から、図５のサムネイル画像１６２−１乃至１６２−６に対応するチャプタに、新たに、ユーザが所望する組合せのチャプタを追加する画面に切り替えさせるためのボタンである。
【００７４】
分割ボタン１８３は、選択（押圧）されることで、LCD２１に表示される画面を、編集機能の選択画面１７１から、図５のサムネイル画像１６２−１乃至１６２−６に対応するチャプタを、さらに分割して、１つの動画像を、さらに多くのチャプタに分割する画面に切り替えさせるためのボタンである。
【００７５】
中止ボタン１８４は、選択されることで、編集機能の選択画面１７１から、インデックス画面１５１に切り替えさせるためのボタンである。
【００７６】
なお、以下、削除ボタン１８１、追加ボタン１８２、または中止ボタン１８４が選択されたか否かについて説明していく。
【００７７】
ステップＳ５において、操作入力制御部１３１は、タッチパネル２２が押圧されたか否かを判定する。ステップＳ５において、タッチパネル２２が押圧されていないと判定された場合、手続きは、ステップＳ５に戻り、タッチパネル２２が押圧されるまで、上述した処理が繰り返される。
【００７８】
ステップＳ５において、タッチパネル２２が押圧されたと判定された場合、ステップＳ６に進み、操作入力制御部１３１は、押圧された位置に、中止ボタン１８４が表示されているか否かを判定する。
【００７９】
ステップＳ６において、押圧された位置に、中止ボタン１８４が表示されていないと判定された場合、ステップＳ７に進み、操作入力制御部１３１は、押圧された位置に削除ボタン１８１が表示されているか否かを判定する。
【００８０】
ステップＳ７において、押圧された位置に、削除ボタン１８１が表示されていると判定された場合、ステップＳ８に進み、画像の削除の処理が実行される。この処理の詳細は、図８のフローチャートを参照して後述するが、この処理により、ユーザが不要とする画像が削除される。
【００８１】
ステップＳ８の後、手続きは、ステップＳ４に戻り上述した処理が実行される。
【００８２】
ステップＳ７において、押圧された位置に、削除ボタン１８１が表示されてないと判定された場合、ステップＳ９に進み、操作入力制御部１３１は、押圧された位置に追加ボタン１８２が表示されているか否かを判定する。
【００８３】
ステップＳ９において、押圧された位置に、追加ボタン１８２が表示されていると判定された場合、ステップＳ１０に進み、画像の追加の処理が実行される。この処理の詳細は、図１１を参照して後述するが、この処理により、チャプタが結合され、新たに結合されたチャプタ（動画像）が追加される。
【００８４】
ステップＳ１０の後、手続きは、ステップＳ４に戻り上述した処理が実行される。
【００８５】
ステップＳ９において、押圧された位置に、追加ボタン１８２が表示されていないと判定された場合、ステップＳ５に戻り、上述した処理が実行される。
【００８６】
ステップＳ６において、押圧された位置に、中止ボタン１８４が表示されていると判定された場合、ステップＳ１に戻り、上述した処理が実行される。
【００８７】
ステップＳ３において、押圧された位置に、編集ボタン１６１が表示されていないと判定された場合、ステップＳ１１に進み、操作入力制御部１３１は、押圧された位置に、サムネイル画像１６２が表示されているか否かを判定する。
【００８８】
ステップＳ１１において、押圧された位置に、サムネイル画像１６２が表示されていると判定された場合、ステップＳ１２に進み、出力制御部１３２は、LCD２１において、押圧（選択）されたサムネイル画像１６２に対応するキャプチャ以降の動画像の再生（表示）が開始されるように制御する。すなわち、サムネイル画像１６２−ｎ（ｎ＝１乃至６）が押圧（選択）された場合、サムネイル画像１６２−ｎに対応するチャプタ以降の動画像が全て再生される。例えば、サムネイル画像１６２−１が押圧（選択）された場合、サムネイル画像１６２−１に対応するチャプタ以降の動画像、すなわち、サムネイル画像１６２−１乃至１６２−６に対応するチャプタの動画像が、順に、再生される。
【００８９】
このとき、出力制御部１３２は、ステップＳ１２において、動画像の再生と共に、磁気テープなどに記録されている音声データを用いて、音声をスピーカ８１から出力させるようにしてもよい。
【００９０】
図７は、画像の再生の画面１９１の例を示す図である。ステップＳ１２においては、画像の再生の画面１９１が表示され、ユーザに選択されたサムネイル画像１６２に対応するチャプタの動画像が再生され、表示される。
【００９１】
画像の再生の画面１９１の上方には、例えば、画像が現在再生されていることをユーザに認識させるために“画像の再生”の文字が表示される。また、画像の再生の画面１９１には、停止ボタン１９２が配置されている。
【００９２】
停止ボタン１９２は、選択（押圧）されることで、画像の再生の画面１９１において再生されている動画像を停止させ、LCD２１に表示される画面を、画像の再生の画面１９１からインデックス画面１５１に切り替えさせるためのボタンである。
【００９３】
画像の再生の画面１９１には、例えば、サムネイル画像１６２−１が選択された場合、図７で示されるように、サムネイル画像１６２−１に対応するチャプタの動画像である画像１９３が表示されている。
【００９４】
ステップＳ１３において、操作入力制御部１３１は、タッチパネル２２が押圧されたか否かを判定する。ステップＳ１３において、タッチパネル２２が押圧されたと判定された場合、ステップＳ１４に進み、操作入力制御部１３１は、押圧された位置に、停止ボタン１９２が表示されているか否かを判定する。
【００９５】
ステップＳ１４において、押圧された位置に、停止ボタン１９２が表示されていないと判定された場合、ステップＳ１５に進み、出力制御部１３２は、動画像の再生が終了したか否かを判定する。
【００９６】
ステップＳ１５において、動画像の再生が終了していないと判定された場合、ステップＳ１３に戻り、上述した処理が実行される。
【００９７】
ステップＳ１５において、動画像の再生が終了したと判定された場合、ステップＳ１に戻り、上述した処理が実行される。
【００９８】
ステップＳ１４において、押圧された位置に、停止ボタン１９２が表示されていると判定された場合、ステップＳ１６に進み、出力制御部１３２は、動画像の再生を停止させるように制御する。
【００９９】
ステップＳ１６の後、手続きは、ステップＳ１に戻り、上述した処理が実行される。
【０１００】
ステップＳ１３において、タッチパネル２２が押圧されていないと判定された場合、ステップＳ１４の処理がスキップされ、手続きは、ステップＳ１５に進み、上述した処理が実行される。
【０１０１】
ステップＳ１１において、押圧された位置に、サムネイル画像１６２が表示されていないと判定された場合、ステップＳ２に戻り、上述した処理が実行される。
【０１０２】
図８のフローチャートを参照して、図４のステップＳ８に対応する画像の削除の処理を説明する。
【０１０３】
ステップＳ４１において、出力制御部１３２は、LCD２１に、画像の削除のためのインデックス画面が表示されるように制御する。
【０１０４】
図９は、画像の削除のためのインデックス画面２２１の例を示す図である。インデックス画面２２１の上方には、例えば、ユーザに、不要な画像を削除するための画面であることを認識させるために、“画像の削除”の文字が表示される。
【０１０５】
インデックス画面２２１には、中止ボタン２３１、実行ボタン２３２、およびサムネイル画像１６２−１乃至１６２−６が配置されている。
【０１０６】
中止ボタン２３１は、選択（押圧）されることで、LCD２１に表示される画面を、インデックス画面２２１から、編集機能の選択画面１７１に切り替えさせるためのボタンである。
【０１０７】
実行ボタン２３２は、選択（押圧）されることで、サムネイル画像１６２−１乃至１６２−６に対応するチャプタの動画像のうち、ユーザが不要と判断したサムネイル画像１６２に対応するチャプタの動画像を削除するためのボタンである。
【０１０８】
ステップＳ４２において、操作入力制御部１３１は、タッチパネル２２が押圧されたか否かを判定する。ステップＳ４２において、タッチパネル２２が押圧されていないと判定された場合、手続きは、ステップＳ４２に戻り、上述した処理が、タッチパネル２２が押圧されるまで繰り返される。
【０１０９】
ステップＳ４２において、タッチパネル２２が押圧されたと判定された場合、ステップＳ４３に進み、操作入力制御部１３１は、押圧された位置に、中止ボタン２３１が表示されているか否かを判定する。
【０１１０】
ステップＳ４３において、押圧された位置に、中止ボタン２３１が表示されていないと判定された場合、ステップＳ４４に進み、操作入力制御部１３１は、押圧された位置にサムネイル画像１６２が表示されているか否かを判定する。
【０１１１】
ステップＳ４４において、押圧された位置にサムネイル画像１６２が表示されていると判定された場合、ステップＳ４５に進み、操作入力制御部１３１は、押圧され続けた時間が、所定の閾値以下であるか否かを判定する。すなわち、ステップＳ４５においては、タッチパネル２２における、サムネイル画像１６２に対する操作が分類される。
【０１１２】
ステップＳ４５において、押圧され続けた時間が、閾値以下であると判定された場合、ステップＳ４６に進み、出力制御部１３２は、押圧されたサムネイル画像１６２に、チェックマークが付加されているか否かを判定する。
【０１１３】
ステップＳ４６において、サムネイル画像１６２にチェックマークが付加されていないと判定された場合、ステップＳ４７に進み、出力制御部１３２は、サムネイル画像１６２にチェックマークを付加する。すなわち、チェックマークがサムネイル画像１６２に付加されることで、サムネイル画像１６２に対応するチャプタの動画像が選択される。
【０１１４】
図１０は、チェックマークが付加されたサムネイル画像１６２の例を示す図である。図１０で示されるように、例えば、サムネイル画像１６２−１が選択（押圧）された場合、ステップＳ４７の処理により、サムネイル画像１６２−１にチェックマーク２５１−１が付加される。
【０１１５】
また、図１０で示されるインデックス画面２２１には、前回のステップＳ４７の処理により、サムネイル画像１６２−５にもチェックマーク２５１−２が付加されている。
【０１１６】
以下、チェックマーク２５１−１およびチェックマーク２５１−２を個々に区別する必要のない場合、単に、チェックマーク２５１と称する。
【０１１７】
ステップＳ４７の後、手続きは、ステップＳ４２に戻り、上述した処理が実行される。
【０１１８】
ステップＳ４６において、サムネイル画像１６２にチェックマーク２５１が付加されていると判定された場合、ステップＳ４８に進み、出力制御部１３２は、サムネイル画像１６２に付加されているチェックマーク２５１を消去する。すなわち、チェックマーク２５１がサムネイル画像１６２から消去されることで、サムネイル画像１６２に対応するチャプタの動画像の選択が解除される。
【０１１９】
ステップＳ４８においては、例えば、インデックス画面２２１において、図１０で示されるサムネイル画像１６２−５が選択された場合、チェックマーク２５１−２が消去される。
【０１２０】
ステップＳ４８の後、手続きは、ステップＳ４２に戻り、上述した処理が実行される。
【０１２１】
ステップＳ４５において、押圧され続けた時間が、閾値以下ではないと判定された場合、すなわち、閾値より長い時間押圧され続けたと判定された場合、ステップＳ４９に進み、出力制御部１３２は、LCD２１において、押圧され続けられたサムネイル画像１６２に対応するチャプタの動画像のみが再生（表示）されるように制御する。
【０１２２】
ステップＳ４９においては、例えば、インデックス画面２２１において、サムネイル画像１６２−１が押圧され続けられた場合、図７の画像の再生の画面１９１が表示され、サムネイル画像１６２−１に対応するチャプタの動画像である画像１９３が表示（再生）される。ステップＳ４９においては、サムネイル画像１６２−ｎ（ｎ＝１乃至６）が選択され、チャプタの動画像が再生された場合、サムネイル画像１６２−ｎに対応するチャプタの動画像のみが再生される。
【０１２３】
例えば、サムネイル画像１６２−１が選択された場合、サムネイル画像１６２−１に対応するチャプタの動画像のみが画像の再生の画面１９１において再生される。
【０１２４】
これにより、ユーザは、削除しようとする動画像の再生をインデックス画面２２１から実行させ、動画像を削除する前に、その動画像の内容を確認することができる。
【０１２５】
すなわち、ユーザは、画像の削除のためのインデックス画面２２１を切り替えることなく、削除しようとする動画像を再生させることができる。
【０１２６】
ステップＳ５０において、操作入力制御部１３１は、タッチパネル２２が押圧されたか否かを判定する。
【０１２７】
ステップＳ５０において、タッチパネルが押圧されたと判定された場合、ステップＳ５１に進み、操作入力制御部１３１は、押圧された位置に、停止ボタン１９２が表示されているか否かを判定する。
【０１２８】
ステップＳ５１において、押圧された位置に、停止ボタン１９２が表示されていないと判定された場合、ステップＳ５２に進み、出力制御部１３２は、動画像の再生が終了したか否かを判定する。
【０１２９】
ステップＳ５２において、動画像の再生が終了していないと判定された場合、ステップＳ５０に戻り、上述した処理が実行される。
【０１３０】
ステップＳ５１において、押圧された位置に、停止ボタン１９２が表示されていると判定された場合、ステップＳ５３に進み、出力制御部１３２は、動画像の再生を停止するように制御する。
【０１３１】
ステップＳ５３の後、手続きは、ステップＳ４１に戻り、上述した処理が実行される。
【０１３２】
ステップＳ５０において、タッチパネル２２が押圧されていないと判定された場合、ステップＳ５１の処理がスキップされ、手続きは、ステップＳ５２に進み、上述した処理が実行される。
【０１３３】
ステップＳ５２において、動画像の再生が終了したと判定された場合、ステップＳ４１に戻り、上述した処理が実行される。
【０１３４】
ステップＳ４４において、押圧された位置にサムネイル画像１６２が表示されていないと判定された場合、ステップＳ５４に進み、操作入力制御部１３１は、押圧された位置に、実行ボタン２３２が表示されているか否かを判定する。
【０１３５】
ステップＳ５４において、押圧された位置に、実行ボタン２３２が表示されていると判定された場合、ステップＳ５５に進み、操作入力制御部１３１は、インデックス画面２２１において、チェックマーク２５１が付加されたサムネイル画像１６２があるか否か判定する。
【０１３６】
ステップＳ５５において、チェックマーク２５１が付加されたサムネイル画像１６２があると判定された場合、ステップＳ５６に進み、編集部１３３は、チェックマーク２５１が付加されたサムネイル画像１６２に対応するチャプタの動画像を削除する。即ち、例えば、図１０で示されるように、サムネイル画像１６２−１にチェックマーク２５１−１が付加され、サムネイル画像１６２−５にチェックマーク２５１−２が付加されている場合、サムネイル画像１６２−１およびサムネイル画像１６２−５に対応するチャプタの動画像が削除される。
【０１３７】
ステップＳ５６の後、手続きは、ステップＳ４１に戻り、上述した処理が実行される。すなわち、ステップＳ４１においては、ステップＳ５６の処理によりサムネイル画像１６２−１およびサムネイル画像１６２−５に対応するチャプタの動画像が削除された場合、サムネイル画像１６２−２乃至１６２−４およびサムネイル画像１６２−６が配置されたインデックス画面２２１がLCD２１に表示される。
【０１３８】
ステップＳ５５において、チェックマーク２５１が付加されたサムネイル画像１６２はないと判定された場合、ステップＳ４２に戻り、上述した処理が実行される。
【０１３９】
ステップＳ５４において、押圧された位置に、実行ボタン２３２が表示されていないと判定された場合、ステップＳ４２に戻り、上述した処理が実行される。
【０１４０】
ステップＳ４３において、押圧された位置に、中止ボタン２３１が表示されていると判定された場合、手続きは、図４のステップＳ４に戻り、上述した処理が実行される。すなわち、LCD２１に表示される画面は、画像の削除のためのインデックス画面２２１から編集項目の選択画面１７１に切り替わる。
【０１４１】
以上のように、ユーザは、削除しようとする動画像の内容を確認したい場合、画像の再生を行うインデックス画面１５１に切り替えることなく、画像の削除のためのインデックス画面２２１において、画像を再生し、画像の内容を確認することができる。
【０１４２】
図１１のフローチャートを参照して、図４のステップＳ１０に対応する画像の追加の処理を説明する。
【０１４３】
ステップＳ８１において、出力制御部１３２は、LCD２１に、画像の追加のためのインデックス画面３５１を表示させるように制御する。
【０１４４】
図１２は、画像の追加のためのインデックス画面３５１の例を示す図である。インデックス画面３５１の上方には、例えば、ユーザに、所望する組合せのチャプタを追加するための画面であることを認識させるために、“画像の追加”の文字が表示される。
【０１４５】
インデックス画面３５１には、中止ボタン３７１、実行ボタン３７２、およびサムネイル画像１６２−１乃至１６２−６が配置されている。
【０１４６】
中止ボタン３７１は、選択（押圧）されることで、LCD２１に表示される画面を、インデックス画面３５１から、編集機能の選択画面１７１に切り替えさせるためのボタンである。
【０１４７】
実行ボタン３７２は、選択（押圧）されることで、サムネイル画像１６２−１乃至１６２−６から、ユーザが所望する組合せのチャプタを追加するためのボタンである。
【０１４８】
ステップＳ８２において、操作入力制御部１３１は、タッチパネル２２が押圧されたか否かを判定する。ステップＳ８２において、タッチパネル２２が押圧されていないと判定された場合、手続きは、ステップＳ８２に戻り、上述した処理が、タッチパネル２２が押圧されるまで繰り返される。
【０１４９】
ステップＳ８２において、タッチパネル２２が押圧されたと判定された場合、ステップＳ８３に進み、操作入力制御部１３１は、押圧された位置に、中止ボタン３７１が表示されているか否かを判定する。
【０１５０】
ステップＳ８３において、押圧された位置に、中止ボタン３７１が表示されていないと判定された場合、ステップＳ８４に進み、操作入力制御部１３１は、押圧された位置にサムネイル画像１６２が表示されているか否かを判定する。
【０１５１】
ステップＳ８４において、押圧された位置にサムネイル画像１６２が表示されていると判定された場合、ステップＳ８５に進み、操作入力制御部１３１は、押圧され続けた時間が、所定の閾値以下であるか否かを判定する。すなわち、ステップＳ８５においては、タッチパネル２２における、サムネイル画像１６２に対する操作が分類される。
【０１５２】
ステップＳ８５において、押圧され続けた時間が、閾値以下であると判定された場合、ステップＳ８６に進み、出力制御部１３２は、押圧されたサムネイル画像１６２に、チェックマークが付加されているか否かを判定する。
【０１５３】
ステップＳ８６において、サムネイル画像１６２にチェックマークが付加されていないと判定された場合、ステップＳ８７に進み、出力制御部１３２は、サムネイル画像１６２にチェックマークを付加する。すなわち、チェックマークがサムネイル画像１６２に付加されることで、サムネイル画像１６２に対応するチャプタの動画像が選択される。
【０１５４】
図１３は、チェックマークが付加されたサムネイル画像１６２の例を示す図である。図１３で示されるように、例えば、サムネイル画像１６２−２が選択（押圧）された場合、ステップＳ８７の処理により、サムネイル画像１６２−２にチェックマーク４０１−１が付加される。
【０１５５】
また、図１３で示されるインデックス画面３５１には、前回のステップＳ８７の処理により、サムネイル画像１６２−４にチェックマーク４０１−２が付加され、サムネイル画像１６２−６にチェックマーク４０１−３が付加されている。
【０１５６】
以下、チェックマーク４０１−１乃至４０１−３を個々に区別する必要のない場合、単に、チェックマーク４０１と称する。
【０１５７】
ステップＳ８７の後、手続きは、ステップＳ８２に戻り、上述した処理が実行される。
【０１５８】
ステップＳ８６において、サムネイル画像１６２にチェックマーク４０１が付加されていると判定された場合、ステップＳ８８に進み、出力制御部１３２は、チェックマーク４０１を消去する。すなわち、チェックマーク４０１がサムネイル画像１６２から消去されることで、サムネイル画像１６２に対応するチャプタの動画像の選択が解除される。
【０１５９】
ステップＳ８８においては、例えば、インデックス画面３５１において、図１３で示されるサムネイル画像１６２−４が選択された場合、チェックマーク４０１−２が消去される。
【０１６０】
ステップＳ８８の後、手続きは、ステップＳ８２に戻り、上述した処理が実行される。
【０１６１】
ステップＳ８５において、押圧され続けた時間が、閾値以下ではないと判定された場合、すなわち、閾値より長い時間押圧され続けたと判定された場合、ステップＳ８９に進み、は、出力制御部１３２は、LCD２１において、押圧され続けられたサムネイル画像１６２に対応するチャプタの動画像のみが再生（表示）されるように制御する。
【０１６２】
ステップＳ８９においては、例えば、インデックス画面３５１において、サムネイル画像１６２−２が押圧され続けられた場合、図１４で示される画像の再生の画面１９１が表示され、サムネイル画像１６２−２に対応するチャプタの動画像である画像４５１が表示（再生）される。ステップＳ８９においては、サムネイル画像１６２−ｎ（ｎ＝１乃至６）が選択され、チャプタの動画像が再生された場合、サムネイル画像１６２−ｎに対応するチャプタの動画像のみが再生される。
【０１６３】
例えば、サムネイル画像１６２−２が選択された場合、サムネイル画像１６２−２に対応するチャプタの動画像のみが画像の再生の画面１９１において再生される。
【０１６４】
これにより、ユーザは、追加しようとするチャプタの動画像において、それぞれのチャプタの動画像の再生をインデックス画面３５１から実行させ、複数のチャプタを結合し、新たなチャプタを追加する前に、個々のチャプタの動画像の内容を確認することができる。
【０１６５】
すなわち、ユーザは、画像の追加のためのインデックス画面３５１を切り替えることなく、追加しようとする新たなチャプタを構成する、個々のチャプタの動画像を再生させることができる。
【０１６６】
ステップＳ９０において、操作入力制御部１３１は、タッチパネル２２が押圧されたか否かを判定する。
【０１６７】
ステップＳ９０において、タッチパネルが押圧されたと判定された場合、ステップＳ９１に進み、操作入力制御部１３１は、押圧された位置に、停止ボタン１９２が表示されているか否かを判定する。
【０１６８】
ステップＳ９１において、押圧された位置に、停止ボタン１９２が表示されていないと判定された場合、ステップＳ９２に進み、出力制御部１３２は、動画像の再生が終了したか否かを判定する。
【０１６９】
ステップＳ９２において、動画像の再生が終了していないと判定された場合、ステップＳ９０に戻り、上述した処理が実行される。
【０１７０】
ステップＳ９１において、押圧された位置に、停止ボタン１９２が表示されていると判定された場合、ステップＳ９３に進み、出力制御部１３２は、動画像の再生を停止するように制御する。
【０１７１】
ステップＳ９３の後、手続きは、ステップＳ８１に戻り、上述した処理が実行される。
【０１７２】
ステップＳ９０において、タッチパネル２２が押圧されていないと判定された場合、ステップＳ９１の処理がスキップされ、手続きは、ステップＳ９２に進み、上述した処理が実行される。
【０１７３】
ステップＳ９２において、動画像の再生が終了したと判定された場合、ステップＳ８１に戻り、上述した処理が実行される。
【０１７４】
ステップＳ８４において、押圧された位置にサムネイル画像１６２が表示されていないと判定された場合、ステップＳ９４に進み、操作入力制御部１３１は、押圧された位置に、実行ボタン３７２が表示されているか否かを判定する。
【０１７５】
ステップＳ９４において、押圧された位置に、実行ボタン３７２が表示されていると判定された場合、ステップＳ９５に進み、操作入力制御部１３１は、インデックス画面３５１において、チェックマーク４０１が付加されたサムネイル画像１６２があるか否か判定する。
【０１７６】
ステップＳ９５において、チェックマーク４０１が付加されたサムネイル画像１６２があると判定された場合、ステップＳ９６に進み、編集部１３３は、チェックマーク４０１が付加されたサムネイル画像１６２に対応するチャプタを結合し、新たなチャプタを追加する。
【０１７７】
すなわち、例えば、図１３で示されるように、サムネイル画像１６２−２、サムネイル画像１６２−４、およびサムネイル画像１６２−６のそれぞれに、チェックマーク４０１−１乃至４０１−３のそれぞれが付加されている場合、サムネイル画像１６２−２、サムネイル画像１６２−４、およびサムネイル画像１６２−６に対応する３つのチャプタの動画像が結合され、結合される動画像が新たなチャプタとして追加される。
【０１７８】
より具体的には、例えば、サムネイル画像１６２−１乃至１６２−６に対応するチャプタの動画像について、編集部１３３は、サムネイル画像１６２−２、サムネイル画像１６２−４、およびサムネイル画像１６２−６を順に再生させるための非破壊編集を実行する。すなわち、例えば、サムネイル画像１６２−１乃至１６２−６に対応するチャプタの動画像について、サムネイル画像１６２−２に対応するチャプタの動画像の再生の終了後に、サムネイル画像１６２−４に対応するチャプタの動画像の再生に切り替わり、サムネイル画像１６２−４に対応するチャプタの動画像の再生の終了後に、サムネイル画像１６２−６に対応するチャプタの動画像の再生に切り替わるように、３つの動画像を順に再生させるために、編集部１３３は、再生される動画像の指定と、それぞれの再生の開始点および再生の終了点とが記録されたリストを作成する。
【０１７９】
デジタルビデオカメラ１において、このリストが、チャプタとして取り扱われる。追加されたチャプタの再生が要求された場合、デジタルビデオカメラ１は、リストに記録されている動画像の指定と、それぞれの再生の開始点および終了点を基に、動画像を再生する。
【０１８０】
ステップＳ９６の後、手続きは、ステップＳ８１に戻り、上述した処理が実行される。すなわち、例えば、ステップＳ８１においては、ステップＳ９６の処理によりサムネイル画像１６２−２、サムネイル画像１６２−４、およびサムネイル画像１６２−６に対応するチャプタの動画像が結合され、１つのチャプタとして新たに追加された場合、サムネイル画像１６２−１、サムネイル画像１６２−３、およびサムネイル画像１６２−５と、サムネイル画像１６２−２、サムネイル画像１６２−４、およびサムネイル画像１６２−６に対応するチャプタが結合された新たなチャプタに対応するサムネイル画像とが配置された、インデックス画面３５１がLCD２１に表示される。
【０１８１】
ステップＳ９５において、チェックマーク４０１が付加されたサムネイル画像１６２はないと判定された場合、ステップＳ８２に戻り、上述した処理が実行される。
【０１８２】
ステップＳ９４において、押圧された位置に、実行ボタン３７２が表示されていないと判定された場合、ステップＳ８２に戻り、上述した処理が実行される。
【０１８３】
ステップＳ８３において、押圧された位置に、中止ボタン３７１が表示されていると判定された場合、手続きは、図４のステップＳ４に戻り、上述した処理が実行される。すなわち、LCD２１に表示される画面は、画像の追加のためのインデックス画面３５１から編集項目の選択画面１７１に切り替わる。
【０１８４】
以上のように、ユーザは、複数のチャプタを結合した、新たなチャプタを追加しようとする場合に、結合する個々のチャプタの内容を確認するとき、画像の再生を行うインデックス画面１５１に切り替えることなく、画像の追加のためのインデックス画面３５１において、画像を再生させ、チャプタの内容を確認することができる。
【０１８５】
従って、画面の切り替えをより少なくして、より簡単にデジタルビデオカメラ１を操作することができる。
【０１８６】
このように、タッチパネル２２を用いる操作のみにより、画像の編集を実行することができるので、ハードウェアとしてのボタンを削減し、デジタルビデオカメラ１をより小型化することができる。
【０１８７】
また、サムネイル画像１６２に対して、タッチパネル２２を利用し、複数の操作を用いることで、すなわち、１つのデバイスで、複数の操作を行うようにしたので、画像を編集するための操作を行うようにしたので、LCD２１に表示する各種のボタンを削減することができる。
【０１８８】
さらに、LCD２１に表示するボタンを必要最低限にすることができるので、サムネイル画像１６２や実行ボタン２３２などのボタンをより大きくLCD２１に表示することができる。したがって、表示される画像の視認性および装置の操作性を向上させることができる。
【０１８９】
また、タッチパネル２２を用いることで、サムネイル画像１６２に対して、複数の操作を行うように説明したが、タッチパネル２２の代わり十字キー１５を用いて、複数の操作を行うようにしてもよい。
【０１９０】
十字キー１５を用いる場合、ユーザは十字キー１５を操作し、サムネイル画像１６２を選択する。また、ユーザは十字キー１５の中心を押下することで、サムネイル画像１６２に対応するチャプタの動画像を再生させるようにすることができる。
【０１９１】
また、デジタルビデオカメラ１の十字キー１５ではなく、リモコン７９において十字キーを設け、リモコン７９の十字キーを用いて上述した操作を行うようにしてもよい。
【０１９２】
十字キー１５やリモコン７９の十字キーを用い、複数の操作を行うようにすることにより、デジタルビデオカメラ１にハードウェアのボタンを削減することができる。これにより、デジタルビデオカメラ１をより小型化し、LCD２１に表示されるGUIの画面のボタンを削減することができる。従って、表示される画像の視認性および装置の操作性を向上させることができる。
【０１９３】
なお、図６の“画像の分割”と表示された分割ボタン１８３が押下（押圧）された場合、例えば、インデックス画面２２１やインデックス画面３５１と同様に、画像を分割させるための画面に切り替わり、サムネイル画像１６２を選択（押圧）することで、選択されたサムネイル画像に対応するチャプタの動画像の再生が開始される。このとき、再生中の動画像に対し、ユーザは、分割したい場所において、その再生中の動画像を押圧することで、再生中のチャプタは、２つのチャプタに分割される。
【０１９４】
タッチパネル２２の代わりに、タッチスクリーン、タブレット、デジタイザなどを用いるようにしてもよい。
【０１９５】
次に図１５のフローチャートを参照して、図４のステップＳ８に対応する画像の削除の処理の他の例を説明する。
【０１９６】
ステップＳ２０１乃至ステップＳ２０４のそれぞれの処理は、図８のステップＳ４１乃至ステップＳ４４のそれぞれの処理と同様であるので、その説明は省略する。
【０１９７】
ステップＳ２０４において、押圧された位置に、サムネイル画像１６２が表示されていると判定された場合、ステップＳ２０５に進み、操作入力制御部１３１は、タッチパネル２２において、押圧されたまま移動した長さを計算する。
【０１９８】
図１６は、タッチパネル２２における押圧を説明する図である。図１６で示されるように、インデックス画面２２１のサムネイル画像１６２−１において、例えば、ユーザがタッチパネル２２における位置５０１を指で押圧し、押圧したままタッチパネル２２における位置５０２まで指を移動した場合、位置５０１から位置５０２までの距離５１１がステップＳ２０５の処理により計算される。
【０１９９】
ステップＳ２０６において、操作入力制御部１３１は、移動した長さ、すなわち、ステップＳ２０５の処理により計算した距離５１１が、予め定められた所定の閾値以下であるか否かを判定する。すなわち、ステップＳ２０６においては、タッチパネル２２における、サムネイル画像１６２に対する操作が分類される。
【０２００】
なお、ステップＳ２０６および後述する図１７のステップＳ２５６において用いられる閾値は、図８のステップ４５および図１１のステップＳ８５において用いられた閾値とは、別の値である。
【０２０１】
ステップＳ２０６において、移動した長さは、閾値以下であると判定された場合、手続きは、ステップＳ２０７に進む。また、ステップＳ２０６において、移動した長さが、閾値以下ではないと判定された場合、すなわち、移動した長さが閾値より大きい場合、手続きは、ステップＳ２１０に進む。
【０２０２】
ステップＳ２０７乃至ステップＳ２１７のそれぞれの処理は、図８のステップＳ４６乃至ステップＳ５６のそれぞれの処理と同様であるので、その説明は省略する。
【０２０３】
図１７のフローチャートを参照して、図４のステップＳ１０に対応する画像の追加の処理の他の例を説明する。
【０２０４】
ステップＳ２５１乃至ステップＳ２５４のそれぞれの処理は、図１１のステップＳ８１乃至ステップＳ８４のそれぞれの処理と同様であるので、その説明は省略する。
【０２０５】
ステップＳ２５４において、押圧された位置に、サムネイル画像１６２が表示されていると判定された場合、ステップＳ２５５に進み、操作入力制御部１３１は、タッチパネル２２において、押圧されたまま移動した長さを計算する。
【０２０６】
すなわち、インデックス画面３５１において、図１６を参照して上述した場合と同様に、サムネイル画像１６２内における位置から所定の位置まで、ユーザが指でタッチパネル２２を押圧し続けた長さ（移動した長さ）が計算される。
【０２０７】
ステップＳ２５６において、操作入力制御部１３１は、移動した長さ、すなわち、ステップＳ２５５の処理により計算した長さ（距離）が、予め定められた所定の閾値以下であるか否かを判定する。すなわち、ステップＳ２５６においては、タッチパネル２２における、サムネイル画像１６２に対する操作が分類される。
【０２０８】
ステップＳ２５６において、移動した長さは、閾値以下であると判定された場合、手続きは、ステップＳ２５７に進む。また、ステップＳ２５６において、移動した長さが、閾値以下ではないと判定された場合、すなわち、移動した長さが閾値より大きい場合、手続きは、ステップＳ２６０に進む。
【０２０９】
ステップＳ２５７乃至ステップＳ２６７のそれぞれの処理は、図１１のステップＳ８６乃至ステップＳ９６のそれぞれの処理と同様であるので、その説明は省略する。
【０２１０】
以上のように、図１５および図１７の処理においては、タッチパネル２２における、サムネイル画像１６２内の所定の位置を、ユーザによって指で押圧され、押圧され続けられた長さ、すなわち、指の移動距離を基に、サムネイル画像１６２に対応するチャプタの動画像が再生される。
【０２１１】
このように、タッチパネル２２における、操作の仕方は、本発明を限定するものではない。すなわち、例えば、タッチパネル２２における、サムネイル画像１６２内において、所定の図形（三角形や丸）を指で描くようにすることで、サムネイル画像１６３に対応するチャプタの動画像が再生されるようにしてもよい。
【０２１２】
また、タッチパネル２２における、操作の仕方による画像の処理も、本発明を限定するものではない。例えば、タッチパネル２２における、サムネイル画像１６２を連続で２回タップすることで、サムネイル画像１６３に対応するチャプタの動画像が５倍速で再生されるようにしてもよい。
【０２１３】
本発明に係る情報処理装置の実施の形態においては、デジタルビデオカメラ１における動画像または静止画像の編集のみではなく、音声データなどの様々なコンテンツにおける編集作業においても適用することができる。
【０２１４】
本発明に係る情報処理装置の実施の形態は、図２に示されるデジタルビデオカメラ１に限定されず、記録媒体の記録および読み出しの制御が可能な情報処理装置であれば構わない。具体的には、例えば、デジタルスチルカメラ、PDA（Personal Digital Assistants）、携帯電話機など、様々な実施の形態が可能である。
【０２１５】
このように、デジタルビデオカメラ１において、撮影した画像を編集することができるようにした場合、ユーザは手軽に画像を編集することができる。分類手段が、入力手段からの、ユーザの操作を示す入力信号を基に、コンテンツを示す画像であって、表示されている画像に対するユーザの操作を、その操作の時間的または空間的な特徴によって、第１の操作または第２の操作のいずれか一方に分類し、処理実行手段が、ユーザの操作が第１の操作に分類された場合、画像で示されるコンテンツについて第１の処理を実行し、ユーザの操作が第２の操作に分類された場合、画像で示されるコンテンツについて第２の処理を実行するようにした場合には、画面の切り替えをより少なくして、より簡単に操作することができる。
【０２１６】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または各種のプログラムをインストールすることで、各種の機能を実行することが可能な、例えば汎用のパーソナルコンピュータなどに、記録媒体からインストールされる。
【０２１７】
この記録媒体は、図２で示されるリムーバブルメディア８９のように、コンピュータとは別に、ユーザにプログラムを提供するために配布される、プログラムが記録されている磁気ディスク（フレキシブルディスクを含む）、光ディスク（CD-ROM（Compact Disk Read-Only Memory），DVDを含む）、光磁気ディスク（MD（Mini Disc）（商標）を含む）、若しくは半導体メモリなどよりなるパッケージメディアにより構成されるだけでなく、コンピュータに予め組み込まれた状態でユーザに提供される、プログラムが記録されているROM７２もしくはハードディスクなどで構成される。
【０２１８】
なお、上述した一連の処理を実行させるプログラムは、必要に応じてルータ、モデムなどのインターフェースを介して、ローカルエリアネットワーク、インターネット、デジタル衛星放送といった、有線または無線の通信媒体を介してコンピュータにインストールされるようにしてもよい。
【０２１９】
また、本明細書において、記録媒体に格納されるプログラムを記述するステップは、記載された順序に沿って時系列的に行われる処理はもちろん、必ずしも時系列的に処理されなくても、並列的あるいは個別に実行される処理を含むものである。
【図面の簡単な説明】
【０２２０】
【図１】本発明に係るデジタルビデオカメラの外観の構成の例を示す斜視図である。
【図２】デジタルビデオカメラの構成の例を示すブロック図である。
【図３】画像編集プログラムの機能の構成の例を示すブロック図である。
【図４】画像の編集の処理を説明するフローチャートである。
【図５】インデックス画面の例を示す図である。
【図６】編集機能の選択画面の例を示す図である。
【図７】画像の再生の画面の例を示す図である。
【図８】画像の削除の処理を説明するフローチャートである。
【図９】画像の削除のための画面の例を示す図である。
【図１０】チェックマークが付加されたサムネイル画像の例を示す図である。
【図１１】画像の追加の処理を説明するフローチャートである。
【図１２】画像の追加のための画面の例を示す図である。
【図１３】チェックマークが付加されたサムネイル画像の例を示す図である。
【図１４】画像の再生の画面の例を示す図である。
【図１５】画像の削除の処理の他の例を説明するフローチャートである。
【図１６】タッチパネルにおける押圧を説明する図である。
【図１７】画像の追加の処理の他の例を説明するフローチャートである。
【符号の説明】
【０２２１】
１  デジタルビデオカメラ，  １５  十字キー，  ２２  タッチパネル，  ８９  リムーバブルメディア，  １２１  画像編集プログラム，  １３１  操作入力制御部，  １３２  出力制御部，  １３３  編集部，  １６２、および１６２−１乃至１６２−６  サムネイル画像，  ２２１  インデックス画面，  ２５１、並びに２５１−１および２５１−２  チェックマーク，  ３５１  インデックス画面，  ４０１、および４０１−１乃至４０１−３  チェックマーク
【図１】
2006172116.tif 000003
【図２】
2006172116.tif 000004
【図３】
2006172116.tif 000005
【図４】
2006172116.tif 000006
【図５】
2006172116.tif 000007
【図６】
2006172116.tif 000008
【図７】
2006172116.tif 000009
【図８】
2006172116.tif 000010
【図９】
2006172116.tif 000011
【図１０】
2006172116.tif 000012
【図１１】
2006172116.tif 000013
【図１２】
2006172116.tif 000014
【図１３】
2006172116.tif 000015
【図１４】
2006172116.tif 000016
【図１５】
2006172116.tif 000017
【図１６】
2006172116.tif 000018
【図１７】
2006172116.tif 000019